(57)【要約】【課題】Ａ５サイズ等の短い転写材やはがき等の短く厚い転写材を送ってもジャム等の発生がなく、また、その他の転写材を送っても、搬送不良や、画像の縮み等の画像不良の発生しない画像形成装置を作ることを目的としている。【解決手段】加熱ローラと、該加熱ローラの外周面に固定シートを圧接してニップを形勢し、このニップにトナー像と転写材を通過させて定着し、定着後の転写材を定着ローラから分離し、分離した転写材を排紙する排紙ローラを有する画像形成装置において、上記装置で搬送される転写材の先端が排紙ローラに到達する時、常に転写材が接触転写手段と像担持体とでできるニップに保持されていることを特徴とする画像形成装置。【選択図】        図１
2004184832.tif 000002
【特許請求の範囲】
【請求項１】
トナー像担持体とこのトナー像を接触手段により転写材上に転写させる画像形成装置で、加熱ローラと、該加熱ローラの外周面に固定シートを圧接してニップを形勢し、このニップに上記トナー像と転写材を通過させて定着し、定着後の転写材を定着ローラから分離し、分離した転写材を排紙する排紙ローラを有する画像形成装置において、上記装置で搬送される転写材の先端が排紙ローラに到達する時、常に転写材が接触転写手段と像担持体とでできるニップに保持されていることを特徴とする画像形成装置。
【請求項２】
上記画像形成装置において、円筒状像担持体上のトナーをクリーニングする装置を像担持体円筒中心から加熱ローラ中心を結んだ直線よりクリーニング装置が下流に配置されていることを特徴とする画像形成装置。
【請求項３】
上記画像形成装置において、加熱ローラの周速が書き込み速度の１００％以上、１０４％未満としたことを特徴とする画像形成装置。
【請求項４】
上記画像形成装置において、排紙ローラの周速が加熱ローラの周速以上で１０４％未満としたことを特徴とする画像形成装置。
【請求項５】
請求項１記載の画像形成装置において、排紙ローラ対による転写材搬送能力の方が加熱ローラとその加圧部材による転写材搬送能力よりも大きいことを特徴とする画像形成装置。
【請求項６】
上記画像形成装置において、加熱ローラの周速と排紙ローラの周速の差が３％以内であることを特徴とする画像形成装置。
【発明の詳細な説明】
【０００１】
【発明の属する技術分野】
本発明は、転写材上に担持された未定着のトナー像を加熱により定着させる定着装置を有する画像形成装置に関する。
【０００２】
【従来の技術】
一般に、電子写真複写機やプリンタなどの各種画像形成装置において用いられる定着装置は、中空ローラからなる定着ローラと、この定着ローラに圧接された加圧手段としての加圧ローラとを有しており、これら両ローラの圧接領域であるニップ部に、未定着トナー像が形成された転写材が通される際に、上記定着ローラの内部に配置されたハロゲンヒータ等からなる加熱源によって、転写材上の未定着トナー像が加熱され定着されるようになっている。
【０００３】
ところが、近年、画像形成装置は、抵コスト化、そして、ウォーミングアップ時間の短縮と省エネルギー化が求められている。しかし、上記一般的な熱ローラ定着装置は加圧ローラを用いているため、高価で、かつ大きな設置スペースを必要とする。また、ウォーミングアップ短縮のため定着ローラ芯金の薄肉化を行なったとき、加圧ローラによる定着ローラ（加熱ローラ以下定着ローラと呼する）のたわみ等の変形の問題で大きなニップを取ることができないという問題があった。さらに、加圧ローラを使用すると定着ローラの熱が熱容量の大きい加圧ローラへ放散し、ウォーミングアップ時間が長く、消費電力も多くなるという問題もあった。
【０００４】
このような問題を軽減するものとして、定着ローラに押圧部材としての静止状態のベルトを面接触させ、定着ローラとベルトの間に未定着トナーを担持した転写材を通紙するようにした定着装置が特許文献１、特許文献２、特許文献３等に開示されている。
【０００５】
これら定着ローラと静止ベルトで構成される定着装置は、上記した問題をすべて軽減することができ、極めて有利であるが、定着部での転写材の搬送性に大きな問題があった。
【０００６】
すなわち、定着ローラと静止ベルトは大きな圧を掛けず、しかも転写材を定着ローラとの摩擦で搬送しなければならない。そこで、定着ローラと静止ベルトで構成される定着装置の搬送性を多少なりとも良好にするため、静止ベルト表面の摩擦係数を少なくする工夫が種種なされている。
【０００７】
【特許文献１】
特開昭６０−１０４９７７号公報
【特許文献２】
特開昭６２−１３５８６５号公報
【特許文献３】
特開昭６２−１６６３７９号公報
【０００８】
【発明が解決しようとする課題】
しかしながら、このような定着ローラと静止ベルトで構成される定着装置を、小型の汎用性のある低価格の画像形成装置に用いる場合、さまざまなサイズの転写材やさまざまな厚みの転写材に対応できなければいけないという条件が加わるため、問題点があることがわかった。
【０００９】
Ａ４サイズ等の転写材ではジャムせずに、転写材を送ることができるが、短い転写材やはがき等の短く厚い転写材を送ろうとするとジャム等の搬送不良が発生することがわかった。また、加圧ローラを用いずに静止ベルトのような加圧部材を用いた定着装置を用いた場合、定着ローラ部での搬送力が弱いため、画像の縮みやループの発生といった問題が生じてしまった。また、定着ニップでの転写材と定着ローラのスリップによる画像不良等が生じることがわかった。
【００１０】
本発明は、上記した事情に鑑みなされたもので、Ａ４サイズ等大きなサイズの転写材だけでなく短い転写材やはがき等の短く厚い転写材を送ってもジャム等の発生がなく、また、その他の転写材を送っても、搬送不良や、画像の縮み等の画像不良の発生しない画像形成装置を作ることを目的としている。
【００１１】
【課題を解決するための手段】
上記目的を達成するため、本発明の請求項１記載の発明においては、転写材の先端が定着後、排紙ローラに到達する時、常に転写材が転写ローラと感光体ドラムとでできるニップに保持されているようにした。このように構成するため、転写材の定着前の搬送手段である転写ローラと感光体とで作られるニップ中心から定着ローラニップ直後にある転写材搬送手段である排紙ローラ対でできるニップまでの距離を、最短搬送可能転写材である（たとえば、はがき）より短くなるように構成し、常に排紙または、転写の搬送力で紙が搬送されるようにした。
【００１２】
また、請求項２の発明においては、上記配置を達成するため、定着ローラと感光体ドラムの間に断熱用の仕切りと放熱板を併用することおよび感光体のクリーニング装置を定着装置と対向する面より下流側に配置することで近接配置を達成した。
【００１３】
また、請求項３の発明においては、上記したような加圧ローラを用いない静止ベルトのような加圧部材を用いた定着器を用いた画像形成装置において発生する画像縮みや、定着ニップでの転写材のスリップの発生防止のために、定着ローラを書き込み速度にほぼ一致させるように制御された転写部で転写材が排出される速度に対し、１００％以上１０４％未満の周速に設定した。
【００１４】
請求項４においては、画像の伸び縮みやスリップ画像の防止のために排紙ローラの周速を１００％以上で１０４％未満とすることで上記問題を防止した。
【００１５】
請求項５においては、転写材搬送能力の低い定着ローラの搬送性を補うために排紙ローラの搬送能力を大きくしジャム等の搬送不良を防止した。
【００１６】
請求項６においては、排紙ローラの搬送力が大きい場合に発生する定着スリップ画像防止のため排紙ローラと加熱ローラの周速差を３％以内とすることで上記現象の防止を行なった。
【００１７】
以上、本発明についてその詳細を説明したが、これを下記に整理して記述する。
【００１８】
（１）トナー像担持体とこのトナー像を接触手段により転写材上に転写させる画像形成装置で、加熱ローラと、該加熱ローラの外周面に固定シートを圧接してニップを形勢し、このニップに上記トナー像と転写材を通過させて定着し、定着後の転写材を定着ローラから分離し、分離した転写材を排紙する排紙ローラを有する画像形成装置において、上記装置で搬送される転写材の先端が排紙ローラに到達する時、常に転写材が接触転写手段と像担持体とでできるニップに保持されていることを特徴とする画像形成装置。
【００１９】
（２）上記画像形成装置において、円筒状像担持体上のトナーをクリーニングする装置を像担持体円筒中心から加熱ローラ中心を結んだ直線よりクリーニング装置が下流に配置されていることを特徴とする画像形成装置。
【００２０】
（３）上記画像形成装置において、加熱ローラの周速が書き込み速度の１００％以上、１０４％未満としたことを特徴とする画像形成装置。
【００２１】
（４）上記画像形成装置において、排紙ローラの周速が加熱ローラの周速以上で１０４％未満としたことを特徴とする画像形成装置。
【００２２】
（５）前記（１）記載の画像形成装置において、排紙ローラ対による転写材搬送能力の方が加熱ローラとその加圧部材による転写材搬送能力よりも大きいことを特徴とする画像形成装置。
【００２３】
（６）上記画像形成装置において、加熱ローラの周速と排紙ローラの周速の差が３％以内であることを特徴とする画像形成装置。
【００２４】
【発明の実施の形態】
以下、本発明を画像形成装置であるレーザービームプリンターに適用した一実施形態について説明する。図１は、本画像形成装置の概略構成を示す図である。この画像形成装置は、電子写真方式により転写材としての記録材である転写紙上に画像を形成するための作像手段を収容したプロセスカートリッジ１００を備えている。図示のプロセスカートリッジ１００は、像担持体としての直径３０ｍｍのＯＰＣ感光体（以下、感光体という）１、帯電手段としての帯電ローラ２、現像手段としての現像ユニット３、クリーニング手段としてのクリーニングユニット４などを、コンパクトに一体化して構成されている。
【００２５】
該プロセスカートリッジ１００の側方には、感光体１上に静電潜像を書き込むための潜像書き込みユニット５が設けられている。この潜像書き込みユニット５としては、例えば、画像情報に対応するコントローラーからの制御信号により半導体レーザから光を出射させ、回転駆動されるポリゴンミラーにより該レーザ光を走査し、該レーザ光の走査光路中に配設された収束用及びポリゴンミラーの面倒れ補正用のレンズやレーザ光を偏向するミラーなどを通して、感光体上に画像情報に対応する光信号６を書き込むものを用いることができる。
【００２６】
また、プロセスカートリッジ１００の下方には、給紙カセット７に収納された転写材としての転写紙８を一枚ずつ分離給送するための給紙ローラ９と分離パッド１１がある。該給紙ローラ９により給送された転写紙８は、該感光体１上に形成された画像の先端と該転写紙８の先端とが、感光体１と転写ローラ１０とのニップ部にほぼ同時に到達するタイミングで、該感光体１の回転に同期させてレジストローラ１２により搬送される。更に、プロセスカートリッジ１００の上方には、内部にヒータ１３を内蔵する定着ローラ１４とこの定着ローラに圧接して幅広いニップを形成する静止ベルト１５からなる定着装置１６が設けられている。
【００２７】
この定着ローラと静止ベルトからなる定着装置については後に詳しく説明する。また、該定着装置１２の転写紙搬送方向の下流側には、定着ローラ１４と静止ベルト１５とのニップＮを通過した転写紙８を、排紙トレイ１７に排出させるための排紙ローラ１８が設けられている。
【００２８】
そして、上記転写ローラ１０および、帯電ローラ２、現像ユニット３には、画像形成と転写を行うためにバイアスが印加できるようになっている。また、画像形成装置には、転写紙８の搬送経路左側の側面をなす開閉カバー９０１が、開閉自在に取り付けられている。この開閉カバー９０１には、上記除電ブラシ１９が、上記転写ローラ１０と共に配設されている。
【００２９】
また、画像形成装置の開閉カバー９０１には、手差しにより転写紙を給送するための手差しユニット２０が、開閉自在に取り付けられている。この手差しユニット２０を用いて給送された転写紙は、プリンタ本体側に設けられた手差し給紙ローラ２１の回転により、上記レジストローラ１１に搬送される。また、この手差しユニット２０は、その不使用時に、上記開閉カバー９０１の外側部に形成された手差しユニット格納部内に格納されるように構成されている。
【００３０】
次に図２において、この画像形成装置に用いられている静止ベルトを用いた定着装置に着いてもう少し説明する。定着装置１６は、アルミ、鉄等のパイプ材よりなる薄肉定着ローラ２０１（外形φ３０ｍｍ，芯金厚み０．４ｍｍ）と、これに圧接される押圧部材としてのベルト２０２とを有し、定着ローラ２０１は表面にテフロン（Ｒ）等の耐熱離型性材料（表面層に１５〜３０μｍ程度の半導電性１０５〜１０１２Ω・ｃｍのフッ素樹脂）からなる離型層２０３が形成されている。定着ローラ２０１の内部には熱源としてのハロゲンヒータ２０４が設けられ、表面には定着ローラ２０１への転写材の巻き付きを防止する分離爪２０５、表面温度を検出する温度検出センサ２０６が配設されている。これらの分離爪２０５および温度センサ２０６は耐熱性の樹脂カバー２０７に固定され、定着ローラ２０１に当接されている。
【００３１】
上記ベルト２０２は、耐熱性を有し、かつ低摩擦係数のものが要求される。本画像形成装置には、テフロン（Ｒ）シート（１００μｍ〜１ｍｍ）、またはポリイミドシート（５０〜５００μｍ）の上にテフロン（Ｒ）コート（５０〜１００μｍのコート）したシート、さらにはポリイミドシート等の耐熱性シートの上にテフロン（Ｒ）シートを貼り付けた接着した複合シート。ガラス繊維等の耐熱繊維で作られた布にテフロン（Ｒ）コートしたシート。
【００３２】
耐熱繊維をシリコーンゴムやフッ素ゴム等の耐熱ゴムで固め、さらに、その上にテフロン（Ｒ）コート、あるいは、テフロン（Ｒ）シートを接着したもの、あるいは、多穴質フッ素樹脂であるポアフロンやゴアテックス（商品名）等を用いることが可能である。ここでは特に離型性が高く強度が高いベルトとして多層ベルトを用いた。このベルトの断面図を図２−ｂに示し、図２−ｃに正面図をしめした。まず、多穴質フッ素樹脂層２１７（３０〜１００μｍ空孔率７０％）が定着ローラ表層２０３に接触する最上層にありその下部にシリコーンオイル含浸フェルト層２１８（１ｍｍがあり、さらにその下にガラス繊維層２１９（５００μｍ）を持つ多層構造ベルトである。これにより離型性がよく、強度の高いベルトとすることができる。
【００３３】
また、図２−ｃに示すように、この多層ベルトは、定着ローラ２０１その幅が狭く通紙域Ｃよりも広くなっている。またその外側４辺でポアフロンシートとガラス繊維で出来た布が接着され袋状になっている。その中心部にフェルト２１８が包み込まれるようにな構造となっており、通紙域Ｃよりその幅が広く、ニップ域Ｄよりも広くなっている。
【００３４】
そして、図２−ａで示すように、ベルト２０１の一端は、ガイド板２０に固定されている。他端は、回転可能なベルト支持棒２０９により方向が変わり、板金２１０に接着され、この板金２１０を引っ張りバネ２１１が引っ張ってベルト２０２を一定の張力バネはシートの奥手前（紙面手前奥）両端に取り付けられており総圧８ｋｇでひっぱっている。
【００３５】
また、ベルト２０２の定着ローラと接触する面の裏側には加圧バネ２１２が取り付けられている。この加圧部バネ２１２は、イタバネで均一に軽く荷重されており、総圧約１ｋｇで荷重される。この加圧ベルトと定着ローラでできるニップは、約１０ｍｍあり、このニップの後半部に加圧バネ２１２が当接されている。加圧ばね２１２はカバーの樹脂部材２１３に接着されている。これによって、必要とする定着ニップ部の面圧が付加され定着性がさらに良好となる。この加圧ベルトは開閉カバー９０１に取り付けられておりこの開閉カバーを閉じることで加圧する。このカバーは、不図示の手段で固定され、その位置は正確に固定される。
【００３６】
また、定着ローラ２０１の上部には、定着ローラから分離された転写材を排紙トレイ２１４に導く排紙ローラ２１５が配置されている。この排紙ローラはシリコーンゴム（ゴム硬度３５〜６０°ＪＩＳ−Ａ）対からなり、外形φ１２長さ１５ｍｍの円筒が外形φ８ｍｍの金属性回転軸に６箇所取り付けられている。また。回転軸は、定着ローラに沿って平行に回転軸が取り付けられ、転写材搬送力アップのため総圧２Ｋｇで荷重している。
【００３７】
このような構成の画像形成装置において、まず、感光体１は線速（周速）４７．１３ｍｍ／ｓｅｃで回転し、回転中に帯電ローラ２からの電荷により一様に帯電（−６００Ｖ）される。次いで、画像情報に基づいて上記潜像書き込みユニット５が駆動され、これにより、該感光体１の帯電領域（画像形成領域）に、該画像情報が静電潜像として形成される。このとき露光された部分の電位は、−１００Ｖ程度である。この感光体１上に形成された静電潜像は、現像ユニット３の現像ローラ３１によって感光体１に供給される現像剤（マイナストナー）により現像されて可視像（トナー像）となる。（反転現像）現像ローラには、現像バイアスが印加され、たとえば−４００Ｖの直流電圧に周波数２０００Ｈｚのピーク間電圧１６００ｖの交流電圧が印加されている。現像法としては、ジャンピング現像法が使用され、イメージ露光と反転現像法で画像形成が行われている。
【００３８】
一方、この感光体１上へのトナー像の形成が行われている間に、給紙ローラ９、により給紙カセット７から転写紙８が引き出され、ガイド９−ａにより上方に搬送され、該転写紙８の先端がレジストローラ１２のニップ部に当接した状態で、該転写紙８が一旦待機される。
【００３９】
そして、該転写紙８は、その先端と該トナー像の先端とが一致するタイミングで、該感光体１の回転に同期して上記レジストローラ１２が回転を開始することにより、該感光体１と該感光体１に圧接回転する転写部材としての転写ローラ１０とのニップで形成された転写位置に搬送され、感光体上１のトナー像が転写される。該転写ローラ１０には、５００〜６０００ｖ程度の転写バイアスを印加する。このバイアスによりトナー像が転写材に転写される。
【００４０】
そして、該トナー像が転写された転写紙８は、紙ガイド１９にガイドされ、定着入り口ガイド２４によって上記定着装置１６の定着ローラ１４と静止ベルト１５とにより作られるニップ部Ｎに搬送され、定着装置によりトナー画像が転写材に定着され、排紙ローラ１８により排紙トレイ１７上に排紙される。紙ガイド１９の下部には、円弧上のくぼみ２５があり、薄い転写材の搬送中に生じることのあるループの退避エリアや先端カール紙が転写ローラから排出されるときに、ガイド１９に突き当たらないようになっている。
【００４１】
また、この間に、上記転写紙８へのトナー像の転写プロセスにおいて該転写紙８上に転写されずに感光体１上に残留した残留トナーは、上記クリーニングユニット４のクリーニングブレード２２により感光体１上からかきとられ、送りバネ２３により除去されてクリーニング容器内に回収される。
【００４２】
次に本発明の構成の画像形成装置の特徴的な部分である定着装置と感光体ドラムの位置関係について説明する。
【００４３】
図３−ａ、に本発明の画像形成装置の電子写真画像形成プロセスの主要部分の断面図をしめした。図中図１で説明したものについては、同じ番号でしめした。
【００４４】
本発明の画像形成装置図３−ａは、定着装置１６と感光体１との距離が近く配置されている。転写ニップから排紙ローラのニップＮｈまでの転写材の通過パスをＡで示している。転写ローラ１０と感光体１とでできるニップＮｔから定着ローラ１４を経て排紙ローラ１８のニップまでの距離Ａは、本実施例では、９８ｍｍではがきのサイズ１４８ｍｍよりも短く構成されている。また、クリーニング装置４を感光体１の定着ローラ１４との対向する部分より感光体の下流に配置している。図３−ａでは、感光体ドラム１の中心と定着ローラ１４の中心を結んだ直線Ｂよりクリーニング装置が右側にある。このように配置することで紙面上方向（定着ローラ側、矢印ｃ方向）へのクリーニング装置でっぱりを少なくし、定着装置と感光体との距離を縮めることができる。また、クリーニングブレード２２と定着ローラ１４の距離を遠ざけることができるので、定着ローラ１４からの熱によるクリーニングブレード２２部温度の上昇が少なく、クリーニング不良等の発生がなくなる。
【００４５】
また、定着ローラ１３の断熱カバー２７、２８は２重構造となっており、断熱性が高い。さらに定着器下部には、本体側板（不図示）に接続した板金２９により定着部とプロセスカートリッジが分けられておりクリーニング部の温度が上昇しないようになっている。
【００４６】
一方、図３−ｂで示した構成では転写ローラと感光体とでできるニップから定着ローラをへて排紙ローラニップまでの距離Ａ’は１６０ｍｍである。
【００４７】
これは、クリーニング部が、定着ローラに対向する定着ローラの直下にあるため、その距離を近づけることが出来ないためである。
【００４８】
この２つの画像形成装置を用いて、はがきおよびＡ５サイズの転写材を搬送してみたところ、図３−ｂの画像形成装置では、はがきがジャムして送ることができなかった。
【００４９】
一方、本発明の画像形成装置を用いた場合、葉書きをジャムせずに送ることが出来た。
【００５０】
以上のように静止ベルトタイプの画像形成装置においては、定着ローラによる転写材搬送力が不安定であるため、排紙ローラによる転写材の搬送と転写ローラによる転写材の搬送が必須であり、転写ローラニップと排紙ローラニップまでの通過パス長が、最小通紙可能サイズ（はがき）よりも短く配置させる必要があることがわかった。
【００５１】
つぎに、画像伸び縮みと画像不良およびに関する検討について記す。
【００５２】
本画像形成装置の転写材搬送にかかわるローラのおおまかな周速比について記す。書き込みユニット６による書き込み速度を１００％とする（ここでいう書き込み速度と言うのは、本来のオリジナル画像を正しい長さに再現させるために副走査方向に移動させるべき速度のことを書き込み速度と称している。）。転写ローラ１０と感光体１のニップを通過する速度が、書き込み速度に一致するとき、転写材には、伸び縮みのない１００％の画像が転写される。この１００％の画像を作るため、感光体の周速は書き込み速度の９９％の周速で４７．１３ｍｍ／ｓである。
【００５３】
一方、転写ローラは、その転写周速が書き込み速度の１０２％の周速になるように回転させている（転写材の速度は、上記設定でほぼ１００％の周速で転写部で搬送される。）。このように転写ローラと感光体との間に周速差を持たせることで、中抜けや、トナー融着を防止している。
【００５４】
また、転写ローラはその両端で総圧約２ｋｇで加重されている。そして、レジストローラ１２の周速は、書き込みスピードの１０１．５％としている。
【００５５】
以上の条件下で、定着ローラと排紙ローラの外径を少しずつ変えながら画像不良と画像伸びについて検討した。
【００５６】
検討はＡ４サイズの普通紙６４ｇ紙に、１ｃｍ間隔で縦横ライン、ライン巾２００μｍの格子パターンを出力して、そのときの画像の縮みが許容範囲を超える場合を×また定着装置と転写ローラの間にループができて定着入り口部で紙が暴れ画像よごれが発生する場合を×とした。
【００５７】
【表１】
2004184832.tif 000003
【００５８】
表１には、一列目に書き込み速度に対する排紙ローラの周速を書き、２列目に書き込み速度に対する定着ローラの周速を書いた。そして、その後の列に発生する問題点記した。３列目に定着ニップへの紙の突入時のショック画像とその後に発生する部分的縮み画像の発生の有無を記した。これは、定着器の加圧部材が静止しているため、搬送スピードがやや低下しやすいため発生し、３列目に記したように排紙ローラに到達するまでに発生するため、排紙ローラ速度に関係なく、定着ローラ周速によってきまり、９９％と１００％で発生し、１００％を超えるとレベルがよくなり、問題ないレベルになる。以上から定着ローラは、１００％を超える周速が必要である。
【００５９】
４列目には、Ａ４普通紙での全体の平均的画像の伸び縮みについて検討した結果について記した。全体の平均的画像の伸び縮みは、定着ローラと排紙ローラの周速が影響していることがわかる。周速が遅い部分では、画像が縮み、周速が速いと伸びが発生している。排紙ローラが１０４％においては、画像伸びによって使用できないことがわかる。
【００６０】
次に５列目に定着のスリップ画像について記した。これは、定着ローラと紙がスリップするために発生する現象で、本画像形成装置に用いられるような定着搬送力の弱い定着器で発生する。この現象は、レジストローラと転写ニップに挟まれた紙を、搬送するとき定着ローラニップ部での搬送力が、小さいため、定着ローラ周速を早くしたとき、紙を引っ張ることができずに定着ニップで紙がスリップし、流れたような画像になってしまう現象で、この現象が許容範囲を超える場合を×とした。
【００６１】
これは、定着ローラが１０４％以上になると許容範囲をこえてしまう。６列目には、ループ汚れといって、最大サイズＡ４縦を送ったときに、定着器の搬送速度と転写部での紙搬送の速度の差によってループが発生し、紙が転写ニップをぬけたとき紙が暴れ、画像に汚れが発生する現象について記した。これは、画像縮みが発生する条件と同じで、定着および排紙ローラ周速が小さいときにループができやすくなるため、発生する。
【００６２】
７列目には、後半スリップ画像といいこれも定着ローラ部での紙搬送力が排紙ローラの搬送力より弱いため、排紙ローラによる紙の引っ張りで定着ローラニップ部で紙がスリップし、流れたような画像になってしまう現象である。これは、排紙ローラと定着ローラの周速差が大きくなると発生し、排紙ローラ周速が大きいとき発生しやすい。
【００６３】
以上より、定着ローラのニップ部での転写材の搬送力が排紙ローラの搬送力より弱い定着装置においては、スリップ画像が発生することを防止する必要から、定着ローラの周速は書き込み速度に対し１００％以上、１０４％未満であることが、必要であることがわかった。また、排紙ローラ周速は、１００％以上とすることが必要で、また、１０４％未満である必要があることがわかった。また、排紙ローラと定着ローラの周速差は３％以内であることが望ましいことがわかった。
【００６４】
その他、上記実施例においては、転写ローラ、排紙ローラ、感光体ドラム等をもちいて説明したが、もちろんこれらに限るわけでなく、回転移動する転写ベルトや回転移動するベルト感光体、排紙ベルト等を用いることも可能である。
【００６５】
【発明の効果】
以上説明したように、本発明においては、転写材の先端が定着後、排紙ローラに到達する時、常に転写材が転写ローラと感光体ドラムとでできるニップに保持されているようにし、また、定着ローラと排紙ローラの周速を、転写部で転写材が排出される速度に対し、１００％以上１０４％未満の周速に設定したことにより、Ａ５サイズ等の短い転写材やはがき等の短く厚い転写材を送ってもジャム等の発生がなく、また、その他の転写材を送っても、搬送不良や、画像の縮み等の画像不良の発生しない画像形成装置を作ることができた。
【図面の簡単な説明】
【図１】本発明の画像形勢装置の実施例の全体の断面図
【図２−ａ】本発明の画像形勢装置の定着装置の断面図
【図２−ｂ】本発明の画像形勢装置の定着装置にもちいられた静止ベルトの断面図
【図２−ｃ】本発明の画像形勢装置の定着装置にもちいられた静止ベルトの正面図
【図３−ａ】本発明の画像形成装置の電子写真画像形成プロセスの主要部分の断面図
【図３−ｂ】本発明の画像形成装置の効果説明のための比較例の構成を示す図
【符号の説明】
１  感光体
２  帯電ローラ
３  現像ユニット
４  クリーニングユニット
５  書き込みユニット
６  光信号（レーザ光）
７  給紙カセット
８  転写紙
９  給紙ローラ
１０  転写ローラ
１１  分離パッド
１２  レジストローラ
１３  ヒータ
１４  定着ローラ（加熱ローラ）
１５  静止ベルト
１６  定着装置
１７  排紙トレイ
１８  排紙ローラ
１９  除電ブラシ
２０  手差しユニット
２１  手ざし給紙ローラ
２２  クリーニングブレード
２３  送りバネ
２４  定着入り口ガイド
２５  紙ガイド
２６  ガイドのくぼみ
２７，２８  断熱カバー
２９  板金
１００  プロセスカートリッジ
２０１  定着ローラ（加熱ローラ）
２０２  静止ベルト
２０３  離型層
２０４  ハロゲンヒータ
２０５  分離爪
２０６  温度センサ
２０７  樹脂カバー
２１０  板金
２０９  ベルト支持棒
２１１  引っ張りバネ
２１２  加圧ばね
２１３  樹脂部材
２１４  排紙トレイ
２１５  排紙ローラ
２１７  フッ素樹脂層
２１８  フェルト層
２１９  ガラス繊維層
９０１  開閉カバー
Ｎｈ  排紙ニップ
Ｎｔ  転写ニップ
Ａ，Ａ’  転写材通過パス
Ｃ  通紙域
Ｄ  ニップ域
【図１】
2004184832.tif 000004
【図２−ａ】
2004184832.tif 000005
【図２−ｂ】
2004184832.tif 000006
【図２−ｃ】
2004184832.tif 000007
【図３−ａ】
2004184832.tif 000008
【図３−ｂ】
2004184832.tif 000009